(57)【要約】【課題】小さいスペースで複数個の宝石を配置することができ、従来にない斬新でシンプルなデザインと知的でさりげない高級感を醸し出すことができる装飾品付き眼鏡フレームを提供する。【解決手段】眼鏡フレームの智部に装飾品１０を取付ける。装飾品１０は、色が異なる２つの宝石１２，１３からなり、これらの宝石１２，１３を１つの台座１４に互いに一辺を接触させて組込む。台座１４は、両端が開放する角筒状体に形成されたベゼルが用いられる。【選択図】  図２
2006098521.tif 000002
【特許請求の範囲】
【請求項１】
眼鏡フレームの所定箇所に装飾品を取付けた眼鏡フレームにおいて、
前記装飾品を色が異なる少なくとも２つの宝石で構成し、これらの宝石を１つの台座に厚さ方向と直交する方向に互いに接触させて組込んだことを特徴とする装飾品付き眼鏡フレーム。
【請求項２】
前記台座は筒状体からなり、底部に採光用窓を有することを特徴とする請求項１記載の装飾品付き眼鏡フレーム。
【請求項３】
前記台座は、角筒状に形成されていることを特徴とする請求項２記載の装飾品付き眼鏡フレーム。
【請求項４】
前記台座は、円筒状に形成されていることを特徴とする請求項２記載の装飾品付き眼鏡フレーム。
【請求項５】
前記台座は、その中空部を複数に分割する仕切壁を有し、これら仕切壁の前端と前記台座の前端側開口部内壁とで宝石を支持することを特徴とする請求項２，３，４のうちのいずれか１つに記載の装飾品付き眼鏡フレーム。
【請求項６】
前記台座を支持する装飾枝部材を備え、前記装飾枝部材は三次元的に屈曲した形状に形成され、眼鏡フレームの所定箇所に固定されていることを特徴とする請求項１〜５のうちのいずれか１つに記載の装飾品付き眼鏡フレーム。
【請求項７】
前記装飾枝部材は、前記台座の外壁に前記採光用窓を遮らないように延設されていることを特徴とする請求項６記載の装飾品付き眼鏡フレーム。
【発明の詳細な説明】
【技術分野】
【０００１】
本発明は、装飾品付き眼鏡フレームに関するものである。
【背景技術】
【０００２】
装飾性、斬新性、高級感等を高めるために装飾品を取付けた眼鏡フレームが従来から種々提案されている（例えば、特許文献１〜５参照）。装飾品としては、宝石、貴金属、合成樹脂、七宝焼き、商標、記号、装飾的な図柄、文様等の飾り板、チェーン等など種々のものがあり、これらを眼鏡フレームのテンプル、智またはリムに直接または台座を介して取付けている。本発明は特に装飾品として宝石を用いた眼鏡フレームの改良に関するものである。
【特許文献１】特開２００２−２５８２２１号公報
【特許文献２】実開平６−４０９２５号公報
【特許文献３】実開昭６１−３８６１５号公報
【特許文献４】実開平７−４１５２４号公報
【特許文献５】実開昭６３−６４１９号公報
【特許文献６】特開平４−３７８１８号公報
【発明の開示】
【発明が解決しようとする課題】
【０００３】
豪華性や高級感を高めるために複数の宝石を装飾品として用いた眼鏡フレームとしては、前記特許文献６に記載されたものが知られている。この特許文献６に記載されている眼鏡フレームは、装飾の主体となる大きめの宝石類の周囲に、これと一体感を有するように有色の合成樹脂からなる疑似宝石または疑似七宝を配置したものであり、これにより豪華な雰囲気を醸し出させている。
しかしながら、このような眼鏡フレームでは、個々の宝石を取付けるための台座構成が複雑になるため、眼鏡フレームの装飾部分も複雑化するとともに面積が大きくなり、かえって派手で上品さを失うという問題があった。
【０００４】
近年、眼鏡装用者の好みの多様化や流行により、シンプルなデザインが求められている。例えばテンプルが細い場合や、リムレス眼鏡のようにレンズの輪郭が目立たない眼鏡フレームの場合、装飾部もシンプルなものが求められる。シンプルなデザインの場合には、装飾部の面積を小さくする必要があるため、複数個の宝石を一箇所にちりばめることが難しくなる。このような問題を解決するために例えば個々の宝石を小さくすれば装飾部の面積を小さくすることができる。しかし、その場合は個々の台座が小さくなり宝石の取付けが難しくなるという新たな問題が発生するため好ましくない。
【０００５】
そこで、本発明者は、装飾品として複数の宝石を用いる場合について検討し、種々の試作品を製作した結果、色彩の異なる複数個の宝石を１つの台座に組込むことで、小さな装飾部のスペースで色のコントラストを楽しむことができ、また装飾枝部材を付加すると斬新性に優れしかもシンプルなデザインと知的でさりげない高級感を得ることができることが判った。
【０００６】
本発明は上記した従来の問題および試作、検討結果に基づいてなされたものであり、その目的とするところは、小さいスペースで複数個の宝石を配置することができ、従来にない斬新でシンプルなデザインと知的でさりげない高級感を醸し出すことができる装飾品付き眼鏡フレームを提供することにある。
【課題を解決するための手段】
【０００７】
上記目的を達成するために本発明は、眼鏡フレームの所定箇所に装飾品を取付けた眼鏡フレームにおいて、前記装飾品を色が異なる少なくとも２つの宝石で構成し、これらの宝石を１つの台座に厚さ方向と直交する方向に互いに接触させて組込んだものである。
【０００８】
また、本発明は、前記台座が筒状体からなり、底部に採光用窓を有するものである。
【０００９】
また、本発明は、前記台座が角筒状に形成されているものである。
【００１０】
また、本発明は、前記台座が円筒状に形成されているものである。
【００１１】
また、本発明は、前記台座がその中空部を複数に分割する仕切壁を有し、これら仕切壁の前端と前記台座の前端側開口部内壁とで宝石を支持するものである。
【００１２】
また、本発明は、前記装飾枝部材が前記台座の外壁に前記採光用窓を遮らないように延設されているものである。
【００１３】
さらに、本発明は、前記台座と前記装飾枝部材を一体に形成したものである。
【発明の効果】
【００１４】
本発明においては、１つの台座に色が異なる少なくとも２つの宝石を組み込んでいるので、装飾部の面積を小さくすることができ、また複数の宝石の色のコントラストを楽しむことができる。また、台座自体は１つの装飾品に対して１つであるため、台座を１つの宝石毎に製作する必要がない。したがって、派手になりすぎることがなく、眼鏡フレーム全体として知的でさりげない高級感を醸し出すことができる。
また、本発明においては、台座の底部に設けた採光用窓から外光を台座内の宝石に導くようにしているので、宝石に輝きをもたせることができる。
また、筒状体からなる台座の中空部を仕切壁で仕切り、その前端と台座の前端側開口部内壁とで宝石を支持しているため、筒状体の強度が保たれるとともに、それぞれの宝石の採光用窓を形成できる。
また、本発明においては、眼鏡フレームのテンプルや智に加えて台座を支持する三次元的に屈曲した装飾枝部材を備えているので、立体的な装飾部とすることができ、より一層デザイン性に優れた眼鏡フレームを提供することができる。
また、筒状体からなる台座の外壁に装飾枝部材が取付けられているので、採光用窓を遮ることがない。
さらに、台座と装飾枝部材を一体に形成しているので、後工程によってロー付けしたりする必要がなく、部品点数および製造工数を削減できる。
【発明を実施するための最良の形態】
【００１５】
以下、本発明を図面に示す実施の形態に基づいて詳細に説明する。
図１は本発明に係る装飾品付き眼鏡フレームの第１の実施の形態を示す外観斜視図、図２は装飾品が取付けられている智部の側面図、図３は同智部の平面図、図４は装飾品と台座の外観斜視図、図５は図４のＶ−Ｖ線断面図である。これらの図において、全体を符号１で示す眼鏡フレームは、各レンズ３がそれぞれ嵌め込まれた左右一対のリム２と、左右一対のリム２を連結するブリッジ４と、各リム２の内側縁にそれぞれ取付けられたパッド５と、各リム２の外側縁にそれぞれ設けられた左右一対の智６と、各智６にそれぞれ蝶番７を介して折り畳み自在に連結された左右一対のテンプル８と、各テンプル８の後端にそれぞれ設けられたモダン９等で構成されている。
【００１６】
前記智６は、リム２とテンプル８を接続する接続部品ではあるが、装飾品１０と一対の装飾脚１１Ａ，１１Ｂとで構成されることにより、眼鏡フレーム１の装飾部Ａを形成している。
【００１７】
前記装飾品１０は、色が異なる２つの宝石１２，１３からなり、台座１４内に組込まれている。宝石１２，１３としては、例えばガーネット、アメジスト、アクアマリン、ダイヤモンド、エメラルド、ルビー、サファイア、・・・等の貴石や半貴石が用いられる。組み合わせとしては、色彩が異なるものであればどのような組合わせのものであってもよい。例えば、ルビー（赤）とエメラルド（緑）、ルビー（赤）とサファイア（青）、ルビー（赤）とダイヤモンド（白）などの組み合わせがコントラストが強く華やかなイメージになり好ましい。
【００１８】
このような宝石１２，１３は、同一形状からなる三角錐体に形成されることにより、それぞれ三角形からなる４つの面１２ａ〜１２ｄ、１３ａ〜１３ｄを有し、表面１２ａ，１３ａを台座１４の前面側開口部に望ませて台座１４内に組み込まれている。各宝石１２，１３の表面部分はそれぞれクラウンＣを形成し、３つの面１２ｂ〜１２ｄ、１３ｂ〜１３ｄからなる三角錐部分はそれぞれパビリオンＰを形成し、パビリオンＰの頂部がキューレットＱをそれぞれ形成している。クラウンＣは、直角二等辺三角形のテーブル面と、その各辺に繋がる台形のカット面からなり、クラウンＣとパビリオンＰを分ける部分（ガードルＧ）の正面視形状も直角二等辺三角形を形成している。そして、これらの宝石１２，１３は、面１２ｂと面１３ｂの上縁のガードルＧ部分を互いに接触させた状態で前記台座１４内に収納されることにより、全体として表面形状が正四角形の装飾品１０を形成している。なお、宝石１２，１３の形状はこれに限らず、例えばガードルＧの正面視形状を同じ二等辺三角形にすると、全体として表面形状が菱形となり、二等辺三角形以外の三角形を組合わせると全体として表面形状が平行四辺形となる。
【００１９】
前記台座１４は、金、銀、銅合金、プラチナ、チタン等の金属によって内形状が装飾品１０の表面形状と略同じ大きさで両端が開放した角筒状に形成されている。台座１４の前端側開口端部は薄肉に形成されており、この薄肉部１４ａは、２つの宝石１２，１３を台座１４内にチャンネルセッティングによって固定するときのかしめ部を形成している。薄肉部１４ａの下側には、宝石１２，１３のパビリオンＰと接触してこれらの宝石を後側から支える支持部１４ｂが設けられている。支持部１４ｂは、パビリオンＰの前端側と接する位置に形成するとパビリオンＰに入射する光を遮らないという点で好ましい。台座１４の後端側開口部（底部）は、外光を前記各宝石１２，１３のパビリオンＰに導く採光用窓１８を形成している。採光用窓１８は、後述する仕切壁１７によって２つの窓１８ａ，１８ｂに分割されている。
【００２０】
前記台座１４の内部は、仕切壁１７によって各宝石１２，１３を収納する２つの室に仕切られている。仕切壁１７は、台座１４の対角線上に位置する２つの角部を連結するように形成されている。仕切壁１７の前端は、台座の前端側開口部の内壁とともに前記２つの宝石１２，１３の接触部を支持する支持壁として機能を果たすものであり、前記宝石１２，１３の面１２ｂ，１３ｂと接触できるように、前記支持部１４ｂとほぼ同じ高さに形成されている。仕切壁１７の前端は、パビリオンＰの前端側と接するように形成するとパビリオンＰに入射する光を遮らないという点で好ましい。一方、仕切壁１７の後端は、台座１４の後端側開口部付近にまで延在している。この実施の形態の場合、仕切壁１７は台座１４の強度を強化する働きもしている。なお、図５の左半分は宝石１２，１３をチャンネルセッティングによって固定する以前の状態を示し、右半分はチャンネルセッティングした後の状態を示す。
【００２１】
台座１４に対する宝石１２，１３の固定方式としては、前記チャンネルセッティング方式に限らず、例えば図６および図７に示す爪止め方式を採用することも可能である。この場合は、台座１４の前端側開口部で各角部に爪１９を一体に設けておき、宝石１２，１３を台座１４内に収納した後、各爪１９を内側に折り曲げて宝石１２，１３の表面１２ａ，１３ａに押しつければよい。
【００２２】
前記一対の装飾脚１１Ａ，１１Ｂは、前記台座１４と一体に製作されているが、これに限らず別個に製作され、ロー付け等によって台座１４の外壁に接合されるものであってもよい。台座１４の装飾脚１１Ａ，１１Ｂに対する取付け角度としては、仕切壁１７が略垂直になるように取付けているがこれに限らない。一方の装飾脚１１Ａは、リム１の外側面にロー付けによって固定され、他方の装飾脚１１Ｂは前記ヒンジ７を一体に有し、このヒンジ７を介して前記テンプル８の前端が折畳み自在に連結されている。
【００２３】
このように本実施の形態においては、装飾品１０を色彩が異なる２つの宝石１２，１３によって構成し、これらの宝石１２，１３を互いに接触させることにより擬似的に１つの宝石として１つの台座１４内に収納したので、台座１４を各宝石１２，１３毎に用意する必要がなく、装飾部Ａの面積を小さくすることができる。したがって、シンプルなデザインとすることができ、知的でさりげない高級感を醸し出すことができる。
【００２４】
また、色彩が異なる２つの宝石１２，１３が隣り合っているので、色のコントラストを楽しむことができる。
【００２５】
また、台座１４は前面側開口部と、底部に設けた採光用窓１８によって外光を確保しているので、宝石１２，１３を良好に光り輝かせることができる。
【００２６】
図８は本発明の第２の実施の形態を示す眼鏡フレームの側面図、図９は同眼鏡フレームの正面図、図１０は同眼鏡フレームの左半部の平面図、図１１は装飾部の斜視図である。これ等の図において、本実施の形態は、リムレス眼鏡フレーム２２に適用したものである。このため、左右一対のレンズ３は、ブリッジ４に直接固定されて保持されている。また、各レンズ３の外側縁は智６に直接固定されて保持されている。
【００２７】
左右一対のテンプル８は、チタン、金、銅合金、プラチナ等の金属によって細い線状に形成され、前端が智６に対してそれぞれヒンジ７を介して折り畳み自在に連結されている。また、各テンプル８の前端部には、装飾品１０が装飾枝部材２５を介して取付けられており、これらによって眼鏡フレーム２２の装飾部Ｂを形成している。
【００２８】
前記装飾品１０は、上記した第１の実施の形態で示した装飾品と同一のものであり、三角錐体からなる２つの宝石１２，１３で構成され、角筒状の台座１４内に面１２ｂ，１３ｂ（図５）の上端を互いに接触させた状態で収納されている。なお、台座１４は図４に示した台座と同一である。
【００２９】
前記装飾枝部材２５は、三次元的に屈曲した細い線状に形成されており、その長手方向中央に前記台座１４が一体に形成されている。すなわち、本実施の形態においては、台座１４と装飾枝部材２５が同一の金属材料によって一体に形成されるものである。さらに、装飾枝部材２５について詳述すると、この装飾枝部材２５は、台座１４の互いに隣り合う上側２つの外壁２６Ａ，２６Ｂにそれぞれ延設された第１、第２の枝部材２５Ａ，２５Ｂとで構成されている。また、これらの枝部材２５Ａ，２５Ｂは、略左右対称形状で上方に向かって凸状に湾曲する弓形に形成され、台座１４よりもレンズ３側に延在する第１の枝部材２５Ａの前端が前記テンプル８の前端部裏面側にロー付け等によって接合され、台座１４よりモダン９側に延在する第２の枝部材２５Ｂの後端が前記テンプル８の後方側裏面に同じくロー付け等によって接合されている。そして、前記装飾枝部材２５の中央部と前記台座１４は、テンプル８より外側でかつ若干下方に位置している。そして、前記テンプル８の前記台座１４の頂部２９に対応する部分２７は、装飾部Ｂのデザイン性を高め、また前記部分２７が筒状体からなる台座１４の採光用窓１８を遮らないようにするために逆Ｖ字状に屈曲している。
【００３０】
このような構造からなる眼鏡フレーム２２によれば、テンプル８を細身に形成し、三次元的に屈曲した細身の装飾枝部材２５に装飾品１０を台座１４を介して取付け、前記装飾枝部材２５を前記テンプル８に取付けているので、シンプルなデザインではあるが、斬新性に富み、より一層知的でさりげない高級感を醸し出すことができる。
【００３１】
また、筒状体からなる台座１４の外壁に装飾枝部材２５を延設しているので、枝部材２５が採光用窓１８を遮ることがない。また、台座１４をテンプル８からずれた位置に設けているので、テンプル８によって採光用窓１８が遮られることもない。また、台座１４と装飾枝部材２５を一体に形成しているので、後工程によってロー付けしたりする必要がなく、部品点数および製造工数を削減できる。ただし、本発明は台座１４と装飾枝部材２５を一体に形成したものに限定されるものではない。
【００３２】
図１２は本発明の第３の実施の形態を示す眼鏡フレームの要部の斜視図である。
この実施の形態は、装飾枝部材３１をテンプル８に巻き付くように捩って三次元的に屈曲させ、前端をテンプル８より外側に位置させ、後端をテンプル８の内側面にロー付け等によって接合し、前端に台座３２を一体に設けて装飾品３３を取付けたものである。
【００３３】
前記台座３２は円筒状または皿状に形成されて４本の立て爪３５を有し、これらの爪３５によって装飾品３３を台座３２に固定している。装飾品３３は、半円形にカットされた色彩が異なる２つの宝石３６，３７によって構成されている。この場合も台座３２の底部中央には採光用窓が設けられている。
【００３４】
このような構造においても装飾枝部材３１をテンプル８に巻き付くように捩って三次元的に屈曲させているので、上記した第２の実施の形態と同様な効果が得られる。
【００３５】
図１３（ａ）、（ｂ）は本発明の第４の実施の形態を示す装飾品の正面図およびXIII−XIII断面図である。
この実施の形態は、角錐体に形成した３つの宝石４０，４１，４２を矩形の筒状体からなる台座４３内に並べて収納したものである。台座４３の内部は、２つの仕切壁４４ａ，４４ｂによって３つの中空部に仕切られており、これらの仕切壁４４ａ，４４ｂの前端と台座４３の前端側開口部の内壁とで各宝石４１，４２，４３を支持している。宝石４０，４１，４２は、必ずしも全て色彩が異なるものである必要はない。例えば、左右２つの宝石４０，４２の色彩を同じにし、中央の宝石４１の色彩を異ならせてもよい。
【００３６】
また、図１４（ａ）、（ｂ）の第５の実施の形態に示すように表面が扇形の錐体に形成した３つ宝石４５，４６，４７を円筒形の台座４８内に周方向に隣り合うように配列して収納する場合は、好ましくは３つ全ての宝石の色を異ならせることが好ましい。この場合も台座４８の内部を正面視Ｙ字型に分岐した３つの仕切壁５１ａ，５１ｂ，５１ｃによって３つの中空部に仕切っており、これらの仕切壁５１ａ，５１ｂ，５１ｃの前端と台座４８の前端側開口部の内壁とで各宝石４５，４６，４７を支持している。
【００３７】
この実施の形態では３個の宝石４５，４６，４７を組合わせて全体の表面形状を円形にしているが、全体の表面形状を略楕円形にしてもよい。また、組合わせる宝石の数も２個か４個以上にしてもよい。
以上説明したように複数の宝石を組合わせることにより、全体の表面形状が多角形や略円形、略楕円形になるようにすると、一体感が得られ好ましい。
【産業上の利用可能性】
【００３８】
本発明は、表面形状が三角形、四角形、扇形の宝石の例について示したが、これに限定されるものではなく、宝石どうしが厚さ方向と直交する方向に接触して一つの台座に収まるものであればよい。
また、本発明は各テンプル８に対して装飾品を１つ設けたが、２つ以上設けてもよい。例えば、装飾枝部材を弓形に湾曲した細い線材で形成し、その両端部と中央部にそれぞれ１つずつ、合計３つの装飾品を取付けたり、あるいは前端部または後端部に適宜間隔をおいて２つまたは３つの装飾品を設けてもよい。
【図面の簡単な説明】
【００３９】
【図１】本発明に係る装飾品付き眼鏡フレームの第１の実施の形態を示す外観斜視図である。
【図２】装飾品が取付けられている智部の側面図である。
【図３】同智部の平面図である。
【図４】装飾品と台座の外観斜視図である。
【図５】図４のＶ−Ｖ線断面図である。
【図６】台座の他の実施の形態を示す正面図である。
【図７】図６のVII −VII 線断面図である。
【図８】本発明の第２の実施の形態を示す眼鏡フレームの側面図である。
【図９】同眼鏡フレームの正面図である。
【図１０】同眼鏡フレームの左半部の平面図である。
【図１１】装飾部の斜視図である。
【図１２】本発明の第３の実施の形態を示す眼鏡フレームの要部の斜視図である。
【図１３】（ａ）、（ｂ）は本発明の第４の実施の形態を示す装飾品の正面図およびXIII−XIII線断面図である。
【図１４】（ａ）、（ｂ）は本発明の第５の実施の形態を示す装飾品の正面図および背面図である。
【符号の説明】
【００４０】
１…眼鏡フレーム、２…リム、３…レンズ、４…ブリッジ、６…智、８…テンプル、１０…装飾品、１２，１３…宝石、１４…台座、１７…仕切壁、１８…採光用窓、２５，３１…装飾枝部材、３２…台座、３３…装飾品、３６，３７，４０〜４２…宝石、４３…台座、４５〜４７…宝石、４８…台座。
【図１】
2006098521.tif 000003
【図２】
2006098521.tif 000004
【図３】
2006098521.tif 000005
【図４】
2006098521.tif 000006
【図５】
2006098521.tif 000007
【図６】
2006098521.tif 000008
【図７】
2006098521.tif 000009
【図８】
2006098521.tif 000010
【図９】
2006098521.tif 000011
【図１０】
2006098521.tif 000012
【図１１】
2006098521.tif 000013
【図１２】
2006098521.tif 000014
【図１３】
2006098521.tif 000015
【図１４】
2006098521.tif 000016